(57)【要約】タッチパネル（位置入力装置）１２は、透光性導電膜からなり、それぞれ間隔を空けて並ぶ複数の配線２５からなる配線群２５Ｇと、透光性導電膜からなり、配線群２５Ｇに隣り合う形で配される電極部である駆動電極部２６及び検出電極部２７であって、配線２５に倣って延在するスリット３１が形成されてなる電極部である駆動電極部２６及び検出電極部２７と、を備える。
2015107969.tif 000002
【特許請求の範囲】
【請求項１】
透光性導電膜からなり、それぞれ間隔を空けて並ぶ複数の配線からなる配線群と、
透光性導電膜からなり、前記配線群に隣り合う形で配される電極部であって、前記配線に倣って延在するスリットが形成されてなる電極部と、を備える位置入力装置。
【請求項２】
前記電極部には、前記スリットが間隔を空けて複数並ぶとともに相互に独立した形で形成されている請求項１記載の位置入力装置。
【請求項３】
前記電極部は、前記スリットの幅が、前記配線群に含まれて互いに隣り合う前記配線の間の間隔と一致するよう形成されている請求項１または請求項２記載の位置入力装置。
【請求項４】
前記電極部は、前記スリットが間隔を空けて複数並ぶとともに隣り合う前記スリットの間の間隔が、前記配線群に含まれる前記配線の線幅と一致するよう形成されている請求項１から請求項３のいずれか１項に記載の位置入力装置。
【請求項５】
前記配線群は、前記配線に線幅が異なるものが含まれる構成とされており、
前記電極部は、隣り合う前記スリットの間の間隔が、前記配線の線幅のうち最も広い線幅と一致するよう形成されている請求項４記載の位置入力装置。
【請求項６】
前記配線群は、前記配線に線幅が異なるものが含まれる構成とされており、
前記電極部は、隣り合う前記スリットの間の間隔が、前記配線の線幅のうち最も狭い線幅と最も広い線幅との間となる値となるよう形成されている請求項４記載の位置入力装置。
【請求項７】
前記配線群は、複数の前記配線がそれぞれジグザグ状に折れ曲がりつつ延在する平面形状とされており、
前記電極部は、前記スリットが途中に屈曲部を有する平面形状となるよう形成されている請求項１から請求項６のいずれか１項に記載の位置入力装置。
【請求項８】
前記電極部は、前記配線群に含まれるいずれかの前記配線に接続されることで電界を発することが可能な駆動電極部と、前記駆動電極部に対して隣り合う形で配されるとともに前記駆動電極部から発せられた電界を検出する検出電極部と、からなるものとされており、
前記駆動電極部及び前記検出電極部は、それぞれ前記スリットが形成されてなる請求項１から請求項７のいずれか１項に記載の位置入力装置。
【請求項９】
前記駆動電極部及び前記検出電極部は、前記配線に沿って複数ずつ並んで配されており、
透光性導電膜からなり、前記配線群と前記駆動電極部または前記検出電極部との間に介在する形で配されるとともに、前記スリットが形成されてなるダミー電極部を備える請求項８記載の位置入力装置。
【請求項１０】
前記駆動電極部は、前記配線群に対して前記配線の並び方向について隣り合う形で配されるのに対し、前記検出電極部は、前記駆動電極部に対して前記並び方向について前記配線群側とは反対側に隣り合う形で配されており、
前記駆動電極部及び前記検出電極部は、その外縁部の一部が前記配線の外縁部に並行するよう形成されるとともに、前記スリットが前記配線の外縁部に並行するよう形成されている請求項８または請求項９記載の位置入力装置。
【請求項１１】
前記駆動電極部及び前記検出電極部は、それぞれ菱形の平面形状を有するとともに互いの外縁部が並行するよう隣り合って配されているのに対し、前記配線群は、前記駆動電極部と前記検出電極部との間に介在する形で配されるとともに、前記配線が前記駆動電極部及び前記検出電極部の外縁部に並行するようジグザグ状に折れ曲がりつつ延在する平面形状とされており、
前記駆動電極部及び前記検出電極部は、それぞれ前記スリットが途中に屈曲部を有する平面形状となるよう形成されている請求項８または請求項９記載の位置入力装置。
【請求項１２】
請求項１から請求項１１のいずれか１項に記載の位置入力装置と、
前記位置入力装置に対して内側にて対向状に配される表示パネルと、を備える表示装置。
【発明の詳細な説明】
【技術分野】
【０００１】
本発明は、位置入力装置及び表示装置に関する。
【背景技術】
【０００２】
近年、タブレット型ノートパソコンや携帯型情報端末などの電子機器において、操作性及びユーザビリティを高めることを目的として、タッチパネルを用いた液晶表示装置の搭載が進められている。タッチパネルは、透光性を有するとともに、例えば指やタッチペンにより触れることで、液晶パネルの表示面の面内における位置情報を入力することができる。これにより、使用者に液晶パネルに表示された画像に直接触れるような、直感的な操作を可能としている。このようなタッチパネルを備えた表示装置の一例として下記特許文献１に記載されたものが知られている。
【先行技術文献】
【特許文献】
【０００３】
【特許文献１】特開２０１２−２２６６８７号公報
【０００４】
（発明が解決しようとする課題）
上記した特許文献１に記載されたタッチパネルを備えた表示装置によれば、第１の方向に沿って交互に区分される電極層の第１の領域及び第２の領域において、第２の方向に延びるように第１のスリットを並設するとともに、第２の領域において、隣接する第１のスリットを、第２のスリットにより連通しており、それにより電極層を見え難くしている。【０００５】
しかしながら、電極層は、透光性導電膜からなるとともにその外縁部には、製造上の理由からテーパ面が生じる場合がある。この電極部の外縁部に生じたテーパ面において外光が反射されると、電極部のパターンが使用者に視認されてしまうおそれがあり、それに起因して表示装置に表示された画像に係る表示品位が低下する問題があった。
【発明の概要】
【０００６】
本発明は上記のような事情に基づいて完成されたものであって、電極部のパターンが視認され難くすることを目的とする。
【０００７】
（課題を解決するための手段）
本発明の位置入力装置は、透光性導電膜からなり、それぞれ間隔を空けて並ぶ複数の配線からなる配線群と、透光性導電膜からなり、前記配線群に隣り合う形で配される電極部であって、前記配線に倣って延在するスリットが形成されてなる電極部と、を備える。
【０００８】
いずれも透光性導電膜からなる複数の配線及び電極部における外縁部には、製造上の理由からそれぞれテーパ面が生じる場合がある。このテーパ面では、外光が反射され得るため、電極部の外縁部に生じたテーパ面での反射光によって電極部のパターンが視認されてしまうおそれがある。その点、電極部にスリットが形成されることで、電極部におけるスリットに臨む縁部にも、外縁部と同様にテーパ面が生じることになるので、外光が電極部の外縁部に生じたテーパ面に加えてスリットに臨む縁部に生じたテーパ面でも反射される。これにより、電極部の外縁部に生じたテーパ面での反射光が目立ち難くなる。しかも、スリットが配線に倣って延在する形で電極部に形成されているから、配線群を構成する複数の配線の外縁部に生じたテーパ面での反射光と、電極部における配線に倣う外縁部に生じたテーパ面での反射光と、電極部におけるスリットに臨む縁部に生じたテーパ面での反射光と、が同じように視認され易くなり、特定のパターンとしては視認され難くなる。以上により、電極部のパターンが当該位置入力装置の使用者に視認される事態が生じ難いものとされる。
【０００９】
本発明の位置入力装置の実施態様として、次の構成が好ましい。
（１）前記電極部には、前記スリットが間隔を空けて複数並ぶとともに相互に独立した形で形成されている。このようにすれば、仮に複数のスリットを相互に繋ぐ形で形成した場合に比べると、電極部に分断箇所が生じることが避けられるから、電極部の電気抵抗を低く保つことができる。
【００１０】
（２）前記電極部は、前記スリットの幅が、前記配線群に含まれて互いに隣り合う前記配線の間の間隔と一致するよう形成されている。このようにすれば、電極部におけるスリットに臨む縁部に生じたテーパ面での反射光と、配線群に含まれる複数の配線のうちスリットの幅と一致する間隔を空けて互いに隣り合う配線の外縁部に生じたテーパ面での反射光と、が同じようにより視認され易くなり、特定のパターンとしてはより視認され難くなる。これにより、電極部のパターンがより視認され難いものとなる。
【００１１】
（３）前記電極部は、前記スリットが間隔を空けて複数並ぶとともに隣り合う前記スリットの間の間隔が、前記配線群に含まれる前記配線の線幅と一致するよう形成されている。このようにすれば、電極部におけるスリットに臨む縁部に生じたテーパ面での反射光と、配線群に含まれる複数の配線のうち線幅が隣り合うスリットの間の間隔と一致する配線の外縁部に生じたテーパ面での反射光と、が同じようにより視認され易くなり、特定のパターンとしてはより視認され難くなる。これにより、電極部のパターンがより視認され難いものとなる。
【００１２】
（４）前記配線群は、前記配線に線幅が異なるものが含まれる構成とされており、前記電極部は、隣り合う前記スリットの間の間隔が、前記配線の線幅のうち最も広い線幅と一致するよう形成されている。このようにすれば、電極部におけるスリットに臨む縁部に生じたテーパ面での反射光と、配線群に含まれる複数の配線のうち線幅が最も広い配線の外縁部に生じたテーパ面での反射光と、が同じようにより視認され易くなり、特定のパターンとしてはより視認され難くなる。これにより、電極部のパターンがより視認され難いものとなる。
【００１３】
（５）前記配線群は、前記配線に線幅が異なるものが含まれる構成とされており、前記電極部は、隣り合う前記スリットの間の間隔が、前記配線の線幅のうち最も広い線幅と最も狭い線幅との間となる値となるよう形成されている。このようにすれば、電極部におけるスリットに臨む縁部に生じたテーパ面での反射光と、配線群に含まれる複数の配線におけるそれぞれの外縁部に生じたテーパ面での反射光と、が同じように視認され易くなり、特定のパターンとしては視認され難くなる。これにより、電極部のパターンがより視認され難いものとなる。
【００１４】
（６）前記配線群は、複数の前記配線がそれぞれジグザグ状に折れ曲がりつつ延在する平面形状とされており、前記電極部は、前記スリットが途中に屈曲部を有する平面形状となるよう形成されている。このようにすれば、配線群を構成する複数の配線がジグザグ状に折れ曲がりつつ延在する平面形状とされることで、当該位置入力装置を他の表示装置と組み合わせて使用した場合にモアレが生じ難くなる。その上で、スリットが配線に倣って途中に屈曲部を有する平面形状とされることで、配線の外縁部に生じたテーパ面での反射光と、電極部におけるスリットに臨む縁部に生じたテーパ面での反射光と、が同じように視認され易くなり、特定のパターンとしては視認され難くなる。これにより、電極部のパターンが視認され難くなる。
【００１５】
（７）前記電極部は、前記配線群に含まれるいずれかの前記配線に接続されることで電界を発することが可能な駆動電極部と、前記駆動電極部に対して隣り合う形で配されるとともに前記駆動電極部から発せられた電界を検出する検出電極部と、からなるものとされており、前記駆動電極部及び前記検出電極部は、それぞれ前記スリットが形成されてなる。このようにすれば、電極部を構成する駆動電極部は、配線群を構成する複数の配線に含まれるいずれかの配線に接続されることで電界を発することが可能とされる。駆動電極部から発せられた電界は、電極部を構成する検出電極部により検出される。ここで、当該位置入力装置の使用者が位置入力のために電極部に指などを近づけた場合には、駆動電極部から発せられた電界の一部が近づけた指などによって吸収されることで、検出電極部にて検出される電界の強さが変化するので、そのような電界の変化に基づいて入力位置が検出される。そして、電極部を構成する検出電極部及び駆動電極部にそれぞれスリットが形成されているので、検出電極部及び駆動電極部のパターンがいずれも使用者に視認され難くなっている。
【００１６】
（８）前記駆動電極部及び前記検出電極部は、前記配線に沿って複数ずつ並んで配されており、透光性導電膜からなり、前記配線群と前記駆動電極部または前記検出電極部との間に介在する形で配されるとともに、前記スリットが形成されてなるダミー電極部を備える。このようにすれば、配線群に含まれる複数の配線は、配線に沿って複数並ぶ駆動電極部に対して順次に接続されることになる。このため、配線群に含まれる配線の本数は、その延在方向について引き出し元側から引き出し先側に向けて次第に減少することになる。これに対して透光性導電膜からなるダミー電極部は、配線群と駆動電極部または検出電極部との間に介在する形で配されているので、配線の引き出し先側において配線群に含まれる配線の本数が減少しても、その減少した配線の面積を補うことができ、それにより透過光にムラが生じるのを抑制している。そして、このダミー電極部にも駆動電極部及び検出電極部と同様にスリットが形成されることで、ダミー電極部のパターンが使用者に視認され難くなる。
【００１７】
（９）前記駆動電極部は、前記配線群に対して前記配線の並び方向について隣り合う形で配されるのに対し、前記検出電極部は、前記駆動電極部に対して前記並び方向について前記配線群側とは反対側に隣り合う形で配されており、前記駆動電極部及び前記検出電極部は、その外縁部の一部が前記配線の外縁部に並行するよう形成されるとともに、前記スリットが前記配線の外縁部に並行するよう形成されている。このようにすれば、駆動電極部及び検出電極部のうちの配線の外縁部に並行する外縁部に生じたテーパ面での反射光と、配線群を構成する複数の配線の外縁部に生じたテーパ面での反射光と、駆動電極部及び検出電極部におけるスリットに臨む縁部に生じたテーパ面での反射光と、が同じように視認され易くなり、特定のパターンとしては視認され難くなる。以上により、駆動電極部及び検出電極部のパターンが当該位置入力装置の使用者に視認される事態が生じ難いものとされる。
【００１８】
（１０）前記駆動電極部及び前記検出電極部は、それぞれ菱形の平面形状を有するとともに互いの外縁部が並行するよう隣り合って配されているのに対し、前記配線群は、前記駆動電極部と前記検出電極部との間に介在する形で配されるとともに、前記配線が前記駆動電極部及び前記検出電極部の外縁部に並行するようジグザグ状に折れ曲がりつつ延在する平面形状とされており、前記駆動電極部及び前記検出電極部は、それぞれ前記スリットが途中に屈曲部を有する平面形状となるよう形成されている。このようにすれば、それぞれ菱形の平面形状を有する駆動電極部及び検出電極部の外縁部に生じたテーパ面での反射光と、駆動電極部及び検出電極部の外縁部に並行するようジグザグ状に折れ曲がりつつ延在する平面形状とされる複数の配線における外縁部に生じたテーパ面での反射光と、駆動電極部及び検出電極部におけるスリットに臨む縁部に生じたテーパ面での反射光と、が同じように視認され易くなり、特定のパターンとしては視認され難くなる。以上により、駆動電極部及び検出電極部のパターンが当該位置入力装置の使用者に視認される事態が生じ難いものとされる。
【００１９】
次に、上記課題を解決するために、本発明の表示装置は、上記記載の位置入力装置と、前記位置入力装置に対して内側にて対向状に配される表示パネルと、を備える。
【００２０】
このような表示装置によれば、表示パネルに表示された画像に対する使用者の入力位置を位置入力装置によって検出することができる。位置入力装置は、表示パネルに対して外側に配されることになるので、外光が電極部の外縁部に生じたテーパ面にて反射されると、その反射光が直接的に当該表示装置の使用者に視認され易くなっているものの、電極部にスリットが形成されることで、電極部のパターンが使用者に視認され難いものとされ、もって表示品位を高いものとすることができる。
【００２１】
（発明の効果）
本発明によれば、電極部のパターンが視認され難くすることができる。
【図面の簡単な説明】
【００２２】
【図１】本発明の実施形態１に係る液晶表示装置の概略構成を示す断面図
【図２】液晶表示装置の平面図
【図３】液晶パネルの平面図
【図４】液晶パネルの断面構成を示す概略断面図
【図５】液晶パネルを構成するアレイ基板の表示部における平面構成を示す拡大平面図
【図６】液晶パネルを構成するＣＦ基板の表示部における平面構成を示す拡大平面図
【図７】タッチパネルの平面図
【図８】タッチパネルにおける各配線及び各電極部の平面構成を模式的に示す平面図
【図９】タッチパネルのうち、配線の引き出し元側（タッチパネル用フレキシブル基板に近い側）の領域における各配線部及び各電極部の平面構成を示す平面図
【図１０】タッチパネルのうち、配線の引き出し先側（タッチパネル用フレキシブル基板から遠い側）の領域における各配線部及び各電極部の平面構成を示す平面図
【図１１】タッチパネルにおける配線、駆動電極部、及び検出電極部の平面構成を示す拡大平面図
【図１２】図１１のxii-xii線断面図
【図１３】本発明の実施形態２に係るタッチパネルのうち、配線の引き出し元側（タッチパネル用フレキシブル基板に近い側）の領域における各配線及び各電極部の平面構成を示す平面図
【図１４】タッチパネルのうち、配線の引き出し先側（タッチパネル用フレキシブル基板から遠い側）の領域における各配線部及び各電極部の平面構成を示す平面図
【図１５】タッチパネルにおける配線及び駆動電極部の平面構成を示す拡大平面図
【図１６】図１５のxvi-xvi線断面図
【図１７】タッチパネルにおける配線、検出電極部、及びダミー電極部の平面構成を示す拡大平面図
【図１８】図１７のxviii-xviii線断面図
【図１９】本発明の実施形態３に係るタッチパネルにおける配線、駆動電極部、及び検出電極部の平面構成を示す拡大平面図
【発明を実施するための形態】
【００２３】
＜実施形態１＞
本発明の実施形態１を図１から図１２によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。
【００２４】
まず、液晶表示装置１０の構成について説明する。液晶表示装置１０は、図１及び図２に示すように、全体として平面に視て縦長の方形状（矩形状）をなしており、画像を表示する液晶パネル（表示パネル）１１と、液晶パネル１１に対して外側（表側）に対向状に配されるタッチパネル（位置入力装置）１２と、液晶パネル１１及びタッチパネル１２に向けて光を照射する外部光源であるバックライト装置（照明装置）１３とを備えている。さらに液晶表示装置１０は、タッチパネル１２を保護するため、タッチパネル１２に対して外側に対向状に配されるカバーパネル（保護パネル）１６を備えている。このカバーパネル１６は、例えば強化ガラスなどの耐衝撃性能に優れた材料からなるものとされる。互いに対向した状態で積層される液晶パネル１１、タッチパネル１２、及びカバーパネル１６は、それぞれの間にほぼ透明な接着剤（図示せず）介在させることで相互に固着されて一体化されている。また、液晶表示装置１０は、カバーパネル１６、液晶パネル１１及びタッチパネル１２をバックライト装置１３との間で一括して保持するベゼル１４と、ベゼル１４が取り付けられるとともにバックライト装置１３を収容する筐体１５とを備えている。
【００２５】
なお、本実施形態に係る液晶表示装置１０は、携帯電話（スマートフォンなどを含む）、ノートパソコン（タブレット型ノートパソコンなどを含む）、携帯型情報端末（電子ブックやＰＤＡなどを含む）、デジタルフォトフレーム、携帯型ゲーム機などの各種電子機器（図示せず）に用いられるものである。このため、液晶表示装置１０を構成する液晶パネル１１の画面サイズは、数インチ〜１０数インチ程度とされ、一般的には小型または中小型に分類される大きさとされている。
【００２６】
液晶パネル１１について説明する。液晶パネル１１は、図３に示すように、全体として縦長な方形状をなしており、その長辺方向における一方の端部側（図３に示す上側）に片寄った位置に画像を表示可能な表示領域（アクティブエリア）ＡＡが配されるとともに、長辺方向における他方の端部側（図３に示す下側）に片寄った位置にドライバ２１及び表示用フレキシブル基板２２がそれぞれ取り付けられている。この液晶パネル１１において表示領域ＡＡ外の領域が、画像が表示されない非表示領域（ノンアクティブエリア）ＮＡＡとされ、この非表示領域ＮＡＡの一部がドライバ２１及び表示用フレキシブル基板２２の実装領域となっている。液晶パネル１１における短辺方向が各図面のＸ軸方向と一致し、長辺方向が各図面のＹ軸方向と一致している。なお、図３では、ＣＦ基板１１ａよりも一回り小さな枠状の一点鎖線が表示領域ＡＡの外形を表しており、当該一点鎖線よりも外側の領域が非表示領域ＮＡＡとなっている。なお、上記した表示用フレキシブル基板２２は、図示しない信号供給源（例えば制御回路基板）から供給される入力信号を液晶パネル１１側に伝送するためのものであり、可撓性を有するフィルム状の基材上に配線が敷設された構成とされる。ドライバ２１は、内部に駆動回路を有するＬＳＩチップからなるものとされており、表示用フレキシブル基板２２によって伝送された入力信号を処理して出力信号を生成し、その出力信号を液晶パネル１１の表示領域ＡＡへ向けて出力するものとされる。
【００２７】
液晶パネル１１は、図４に示すように、一対の透明な（透光性に優れた）基板１１ａ，１１ｂと、両基板１１ａ，１１ｂ間に介在し、電界印加に伴って光学特性が変化する物質である液晶分子を含む液晶層１１ｃと、を備え、両基板１１ａ，１１ｂが液晶層１１ｃの厚さ分のセルギャップを維持した状態で図示しないシール剤によって貼り合わせられている。両基板１１ａ，１１ｂは、それぞれほぼ透明なガラス基板を備えており、それぞれのガラス基板上に既知のフォトリソグラフィ法などによって複数の膜が積層された構成とされる。両基板１１ａ，１１ｂのうち表側（正面側）がＣＦ基板（対向基板）１１ａとされ、裏側（背面側）がアレイ基板（素子基板、アクティブマトリクス基板）１１ｂとされる。このうち、ＣＦ基板１１ａは、図３に示すように、短辺寸法がアレイ基板１１ｂと概ね同等であるものの、長辺寸法がアレイ基板１１ｂよりも小さなものとされるとともに、アレイ基板１１ｂに対して長辺方向についての一方（図３に示す上側）の端部を揃えた状態で貼り合わせられている。従って、アレイ基板１１ｂのうち長辺方向についての他方（図３に示す下側）の端部は、所定範囲にわたってＣＦ基板１１ａが重なり合うことがなく、表裏両板面が外部に露出した状態とされており、ここに上記したドライバ２１及び表示用フレキシブル基板２２の実装領域が確保されている。なお、両基板１１ａ，１１ｂの内面側には、図４に示すように、液晶層１１ｃに含まれる液晶分子を配向させるための配向膜１１ｄ，１１ｅがそれぞれ形成されている。また、両基板１１ａ，１１ｂの外面側には、それぞれ偏光板１１ｆ，１１ｇが貼り付けられている。
【００２８】
続いて、アレイ基板１１ｂ及びＣＦ基板１１ａにおける表示領域ＡＡ内に存在する構成について簡単に説明する。アレイ基板１１ｂの内面側（液晶層１１ｃ側、ＣＦ基板１１ａとの対向面側）には、図４及び図５に示すように、スイッチング素子であるＴＦＴ（Thin Film Transistor）１７及び画素電極１８が多数個ずつマトリクス状に並んで設けられるとともに、これらＴＦＴ１７及び画素電極１８の周りには、格子状をなすゲート配線１９及びソース配線２０が取り囲むようにして配設されている。言い換えると、格子状をなすゲート配線１９及びソース配線２０の交差部に、ＴＦＴ１７及び画素電極１８が行列状に並列配置されている。ゲート配線１９とソース配線２０とがそれぞれＴＦＴ１７のゲート電極とソース電極とに接続され、画素電極１８がＴＦＴ１７のドレイン電極に接続されている。また、画素電極１８は、平面に視て縦長の方形状（矩形状）をなすとともに、ＩＴＯ（Indium Tin Oxide）またはＺｎＯ（Zinc Oxide）などの透光性及び導電性に優れた材料を用いた透光性導電膜からなる。なお、アレイ基板１１ｂには、ゲート配線１９に並行するとともに画素電極１８を横切る容量配線（図示せず）を設けることも可能である。
【００２９】
一方、ＣＦ基板１１ａには、図４及び図６に示すように、Ｒ（赤色），Ｇ（緑色），Ｂ（青色）等の各着色部が、アレイ基板１１ｂ側の各画素電極１８と平面に視て重畳するよう多数個マトリクス状に並列して配置されたカラーフィルタ１１ｈが設けられている。カラーフィルタ１１ｈをなす各着色部間には、混色を防ぐための略格子状の遮光層（ブラックマトリクス）１１ｉが形成されている。遮光層１１ｉは、上記したゲート配線１９及びソース配線２０と平面に視て重畳する配置とされる。カラーフィルタ１１ｈ及び遮光層１１ｉの表面には、アレイ基板１１ｂ側の画素電極１８と対向するベタ状の対向電極１１ｊが設けられている。なお、当該液晶パネル１１においては、図４から図６に示すように、Ｒ（赤色），Ｇ（緑色），Ｂ（青色）の３色の着色部及びそれらと対向する３つの画素電極１８の組によって表示単位である１つの表示画素が構成されている。表示画素は、Ｒの着色部を有する赤色画素と、Ｇの着色部を有する緑色画素と、Ｂの着色部を有する青色画素とからなる。これら各色の画素は、液晶パネル１１の板面において行方向（Ｘ軸方向）に沿って繰り返し並べて配されることで、画素群を構成しており、この画素群が列方向（Ｙ軸方向）に沿って多数並んで配されている。
【００３０】
次に、タッチパネル１２について詳しく説明する。このタッチパネル１２は、液晶表示装置１０の使用者が、液晶パネル１１の表示画像に応じて位置情報を入力するためのものであって、図１に示すように、内側（裏側）に配された液晶パネル１１と外側（表側）に配されたカバーパネル１６との間に介在する形で配されている。このタッチパネル１２は、いわゆる投影型静電容量方式とされており、その検出方式が相互容量方式とされるものである。タッチパネル１２は、図７に示すように、ほぼ透明な（高い透光性を有する）ガラス製の基板２３を備えており、この基板２３上にほぼ透明な透光性導電膜が成膜されていてこの透光性導電膜が所定のパターン（タッチパネルパターン）にパターニングされた構成とされる。基板２３は、液晶パネル１１と同様に平面に視て縦長の方形状をなしており、その長辺方向が各図面のＹ軸方向と、短辺方向がＸ軸方向と一致している。基板２３は、その中央側に配されて使用者がタッチ操作（位置入力）を行うことが可能なタッチ領域ＴＡと、タッチ領域ＴＡを取り囲む額縁状をなす非タッチ領域ＮＴＡと、に区分されている。タッチ領域ＴＡは、液晶パネル１１の表示領域ＡＡと平面に視て重畳しており、同様に非タッチ領域ＮＴＡは、液晶パネル１１の非表示領域ＮＡＡと平面に視て重畳している。なお、図７ではタッチ領域ＴＡの外形を一点鎖線により表しており、当該一点鎖線よりも外側の領域が非タッチ領域ＮＴＡとなっている。基板２３のうち非タッチ領域ＮＴＡである、長辺方向についての一端部（図７に示す下側の端部）には、図示しないタッチパネルコントローラからの入力信号などを伝送するためのタッチパネル用フレキシブル基板２４が接続されている。タッチパネル用フレキシブル基板２４は、液晶パネル１１に接続された表示用フレキシブル基板２２と平面に視て重畳する配置とされる。透光性導電膜は、基板２３のうち、主にタッチ領域ＴＡに配されており、一部が非タッチ領域ＮＴＡにも配されている。透光性導電膜は、液晶パネル１１の画素電極１８と同様に、ＩＴＯ（Indium Tin Oxide）またはＺｎＯ（Zinc Oxide）などの透光性及び導電性に優れた材料を用いたものであり、基板２３上に真空蒸着法やスパッタリング法などにより成膜された後に、フォトリソグラフィ法によりパターニングされている。
【００３１】
透光性導電膜は、図８に示すように、複数の配線２５からなる配線群２５Ｇと、複数の配線２５に個別に接続されてそこから伝送される入力信号に基づいて電界を発する複数の駆動電極部（送信電極部）２６と、駆動電極部２６から発せられた電界を検出する複数の検出電極部（受信電極部）２７と、特定の検出電極部２７同士を短絡する短絡配線２８と、駆動電極部２６と検出電極部２７との間に介在する形で配されるグランド配線２９と、駆動電極部２６と配線群２５Ｇとの間に介在する形で配される複数のダミー電極部３０と、をそれぞれなしている。これらの各配線２５，２８，２９及び各電極部２６，２７，３０は、いずれも基板２３のタッチ領域ＴＡに配されていて、液晶パネル１１の表示領域ＡＡと平面に視て重畳する配置とされているものの、優れた透光性を有していてほぼ透明な透光性導電膜からなるものであるため、液晶パネル１１からの出射光を効率的に透過させることができる。透光性導電膜からなる構造物のうち、位置入力を検出するためのセンサとして機能する駆動電極部２６及び検出電極部２７（センサ電極部）は、Ｘ軸方向について互いに隣り合う形で配されることで、駆動電極部２６からの電界をＸ軸方向に隣り合う検出電極部２７により良好な感度でもって検出することが可能とされている。これらＸ軸方向について互いに隣り合う駆動電極部２６及び検出電極部２７からなる電極組（センサ電極組）は、基板２３のタッチ領域ＴＡの面内においてＸ軸方向及びＹ軸方向に沿って複数ずつ二次元的に並んで配されており、それによりタッチ領域ＴＡの面内におけるいずれの位置に位置入力がなされた場合でも、その二次元の入力位置を適切に検出することが可能とされている。以下、透光性導電膜からなる各配線２５，２８，２９及び各電極部２６，２７，３０について詳しく説明する。なお、図８は、透光性導電膜からなる各配線２５，２８，２９及び各電極部２６，２７，３０の平面配置を模式的に示すものであり、具体的な平面形状に関しては図９及び図１０に示される通りである。また、図８から図１０では、透光性導電膜の形成範囲を網掛け状にして示すとともに、区別のためにその模様を、各配線２５，２８，２９と、駆動電極部２６及び検出電極部２７と、ダミー電極部３０と、で異ならせている。
【００３２】
複数の配線２５は、図８に示すように、概ねＹ軸方向に沿って延在するとともにＸ軸方向について間隔を空けて（間欠的に）並んで配されることで１つの配線群２５Ｇを構成している。本実施形態では、配線２５の延在方向が各図面のＹ軸方向と一致し、配線２５の並び方向がＸ軸方向と一致している。配線２５は、タッチパネル用フレキシブル基板２４（図７を参照）によって伝送された入力信号を駆動電極部２６に伝送するためのものであり、一方の端部（図８に示す下側の端部）がタッチパネル用フレキシブル基板２４に、他方の端部（図８に示す上側の端部）が駆動電極部２６に、それぞれ接続されている。つまり、本実施形態では、配線２５における引き出し元側は、タッチパネル用フレキシブル基板２４が配された図８に示す下側であり、同引き出し先側は、駆動電極部２６が配された図８に示す上側である。配線群２５Ｇを構成する複数の配線２５は、Ｙ軸方向に沿って並ぶ複数の駆動電極部２６に対して個別に接続されていて、その本数が駆動電極部２６におけるＹ軸方向についての並び数と等しくなっている。配線群２５Ｇを構成する複数の配線２５のうち、接続対象である駆動電極部２６に近いもの（図８に示す左側のもの）は、Ｙ軸方向について引き出し元側の（タッチパネル用フレキシブル基板２４に近い）駆動電極部２６に接続されるのに対し、接続対象である駆動電極部２６から遠いもの（図８に示す右側のもの）は、Ｙ軸方向について引き出し先側の（タッチパネル用フレキシブル基板２４から遠い）駆動電極部２６に接続されている。複数の配線２５からなる配線群２５Ｇは、Ｘ軸方向について所定の間隔を空けて複数並んで配されており、Ｘ軸方向について並ぶ配線群２５Ｇの間には、Ｘ軸方向について互いに隣り合う形で並ぶ駆動電極部２６及び検出電極部２７からなる電極組が介在している。Ｘ軸方向についての配線群２５Ｇの並び数は、駆動電極部２６及び検出電極部２７からなる電極組におけるＸ軸方向についての並び数と等しいものとされる。つまり、配線群２５Ｇは、Ｘ軸方向について並ぶ複数の電極組の間を仕切る形で配されている。
【００３３】
より詳しくは、配線群２５Ｇを構成する複数の配線２５は、図９に示すように、途中でジグザグ状に繰り返し折れ曲がりつつ延在する平面形状とされている。この配線２５における屈曲部分の屈曲角度は、ごく僅かなものとなっている。その上で、配線群２５Ｇを構成する複数の配線２５は、それぞれの線幅がＸ軸方向についての配置に応じて異なるよう形成されている。具体的には、配線群２５Ｇを構成する複数の配線２５は、図９及び図１１に示すように、接続対象である駆動電極部２６に近いもの（図９及び図１１に示す左側のもの）ほど線幅が狭くなり、接続対象である駆動電極部２６から遠いもの（図９及び図１１に示す右側のもの）ほど線幅が広くなるよう形成されている。言い換えると、配線群２５Ｇを構成する複数の配線２５は、その並び方向であるＸ軸方向について接続対象である駆動電極部２６に近づくに従って線幅が連続的に漸次減少し、接続対象である駆動電極部２６から遠ざかるに従って線幅が連続的に漸次増加するよう形成されている。このようにすれば、Ｙ軸方向についてタッチパネル用フレキシブル基板２４の近くに配された駆動電極部２６に接続される配線２５は、図９に示すように、その長さ（延面距離）が短いものの線幅が狭くされるのに対し、Ｙ軸方向についてタッチパネル用フレキシブル基板２４から遠くに配された駆動電極部２６に接続される配線２５は、図１０に示すように、その長さが長いものの線幅が広くされるので、それぞれの配線２５の配線抵抗が均一化されるとともに駆動電極部２６に入力される入力信号が均質化される。また、配線群２５Ｇに含まれて互いに隣り合う配線２５の間の間隔ＬＣ１は、図１１に示すように、全てほぼ同じとされている。
【００３４】
駆動電極部２６は、図８に示すように、平面に視て縦長の略方形状（略矩形状）をなしており、Ｘ軸方向及びＹ軸方向について複数ずつ並んで配されている。Ｙ軸方向に沿って並ぶ複数の駆動電極部２６は、相互に物理的に分離されるとともに直接隣り合う形で配されているのに対し、Ｘ軸方向に沿って並ぶ複数の駆動電極部２６は、その間に配線群２５Ｇ及び検出電極部２７が介在する形で配されている。駆動電極部２６は、接続された配線２５を含む配線群２５Ｇに対して図８に示す左側に隣り合う形で配されるとともに、発した電界を検出する相手となる（電極組を構成する）検出電極部２７に対して図８に示す右側に隣り合う形で配されている。つまり、駆動電極部２６は、Ｘ軸方向について、接続相手である配線２５を含む配線群２５Ｇと、電界を検出する相手である検出電極部２７と、の間に挟み込まれた配置とされる。駆動電極部２６における図８に示す下側の端部には、配線群２５Ｇを構成する複数の配線２５のうちの最も近い（図８に示す左端の）配線２５が接続されている。配線群２５Ｇを構成する複数の配線２５は、Ｙ軸方向に沿って並ぶ複数の駆動電極部２６に対して個別に接続されるとともに、それらの駆動電極部２６を順次走査する形で入力信号を入力することが可能とされている。具体的には、配線群２５Ｇをなす複数の配線２５からの入力信号は、基板２３において図８に示す上端または下端に配された駆動電極部２６から、図８に示す下端または上端に配された駆動電極部２６に至るまで順次に走査する形で入力されるようになっている。さらに詳しくは、駆動電極部２６は、図９に示すように、そのＹ軸方向（配線２５の延在方向）に沿う外縁部が、配線２５に倣ってジグザグ状に繰り返し折れ曲がる平面形状とされている。駆動電極部２６は、そのＹ軸方向に沿う外縁部における屈曲部分の屈曲角度が、配線２５のＹ軸方向に沿う外縁部における屈曲部分の屈曲角度とほぼ同じとされる。また、駆動電極部２６は、そのＸ軸方向（配線２５の並び方向）に沿う外縁部が、ジグザグ状に繰り返し折れ曲がる平面形状とされており、その屈曲部分の屈曲角度がＹ軸方向に沿う外縁部に係る屈曲部分の屈曲角度よりも大きなもの（急な角度）とされる。
【００３５】
検出電極部２７は、図８に示すように、平面に視て縦長の略方形状（略矩形状）をなしており、Ｘ軸方向及びＹ軸方向について複数ずつ並んで配されている。Ｙ軸方向に沿って並ぶ複数の検出電極部２７は、相互に直接隣り合う形で配されているのに対し、Ｘ軸方向に沿って並ぶ複数の検出電極部２７は、その間に配線群２５Ｇ及び駆動電極部２６が介在する形で配されている。検出電極部２７は、検出する電界を発する相手となる（電極組を構成する）駆動電極部２６に対して図８に示す左側に隣り合う形で配されるとともに、その電界を発する相手である駆動電極部２６に接続された配線２５を含む配線群２５Ｇとの間に当該駆動電極部２６が介在する配置とされる。Ｙ軸方向に沿って並ぶ複数の検出電極部２７は、長辺寸法（Ｙ軸方向についての寸法）が駆動電極部２６の同長辺寸法と概ね同じ程度とされるとともに、Ｘ軸方向について隣り合う駆動電極部２６に対してＹ軸方向について位置ずれした配置とされていて、その位置ずれ量が例えば長辺寸法の半分程度の長さとされる。つまり、Ｘ軸方向について互いに隣り合う駆動電極部２６及び検出電極部２７は、千鳥状に並んで配されている。さらに詳しくは、検出電極部２７は、図９に示すように、そのＹ軸方向（配線２５の延在方向）に沿う外縁部が、配線２５に倣ってジグザグ状に繰り返し折れ曲がる平面形状とされている。検出電極部２７は、そのＹ軸方向に沿う外縁部における屈曲部分の屈曲角度が、駆動電極部２６及び配線２５のＹ軸方向に沿う外縁部における屈曲部分の屈曲角度とほぼ同じとされる。また、検出電極部２７は、そのＸ軸方向（配線２５の並び方向）に沿う外縁部が、ジグザグ状に繰り返し折れ曲がる平面形状とされており、その屈曲部分の屈曲角度が、駆動電極部２６におけるＸ軸方向に沿う外縁部の屈曲部分の屈曲角度とほぼ同じとされる。
【００３６】
短絡配線２８は、図８に示すように、配線群２５Ｇをなす配線２５に倣う形でＹ軸方向に沿って延在していて、検出電極部２７に対してＸ軸方向について隣り合う形で配されている。そして、短絡配線２８は、Ｙ軸方向に沿って並ぶ複数の検出電極部２７を１つ飛ばしで短絡している。つまり、短絡配線２８は、Ｘ軸方向について隣り合う検出電極部２７には接続されず、その検出電極部２７に対してＹ軸方向について隣り合う２つの検出電極部２７にそれぞれ接続されている。詳しくは、短絡配線２８には、検出電極部２７に対してＸ軸方向について配線群２５Ｇ側（図８に示す左側）に配される第１短絡配線２８Ａと、Ｘ軸方向について駆動電極部２６側（図８に示す右側）に配される第２短絡配線２８Ｂと、が含まれており、このうちの第１短絡配線２８ＡがＹ軸方向についての端から数えて奇数番目または偶数番目の検出電極部２７同士を短絡し、第２短絡配線２８ＢがＹ軸方向についての端から数えて偶数番目または奇数番目の検出電極部２７同士を短絡している。第１短絡配線２８Ａと第２短絡配線２８Ｂとは、Ｘ軸方向について同じ位置に配されることがないようＹ軸方向に沿って交互に並んで配されており、平面に視て千鳥状の配置となっている。短絡配線２８は、その端部が接続対象となる検出電極部２７における長辺方向についての短絡配線２８側の端部に接続されている。短絡配線２８は、図９に示すように、配線２５に倣ってジグザグ状に繰り返し折れ曲がる平面形状とされており、その屈曲部分の屈曲角度が配線２５における屈曲部分の屈曲角度とほぼ同じとされる。第１短絡配線２８Ａ及び第２短絡配線２８Ｂのうち、タッチパネル用フレキシブル基板２４寄りの端位置に配されたものは、それぞれがタッチパネル用フレキシブル基板２４に接続されることで、駆動電極部２６から発せられた電界の強さに係る出力信号を図示しないタッチパネルコントローラに伝達することが可能とされている。このタッチパネルコントローラは、Ｙ軸方向に沿って並ぶ駆動電極部２６に対して入力信号を順次に走査する形で入力するとともに、Ｙ軸方向に沿って並ぶ検出電極部２７から出力された出力信号に基づいて、電界の強さに変化が生じた検出電極部２７におけるＸ軸方向及びＹ軸方向の位置を割り出し、その位置を入力位置として特定している。
【００３７】
グランド配線２９は、図８に示すように、グランド接続された配線であって、Ｘ軸方向について互いに隣り合うとともに電極組を構成する駆動電極部２６と検出電極部２７との間に介在する形で配されている。このグランド配線２９によって電極組を構成する駆動電極部２６と検出電極部２７とが電気的に分離されている。このグランド配線２９は、配線群２５Ｇをなす配線２５に倣う形でＹ軸方向に沿って延在するグランド配線本体２９ａと、グランド配線本体２９ａから分岐されるグランド配線分岐部２９ｂと、から構成される。グランド配線本体２９ａは、図９に示すように、配線２５に倣ってジグザグ状に繰り返し折れ曲がる平面形状とされており、その屈曲部分の屈曲角度が配線２５における屈曲部分の屈曲角度とほぼ同じとされる。グランド配線分岐部２９ｂは、Ｘ軸方向に沿って駆動電極部２６側に延出する分岐部本体２９ｂ１と、分岐部本体２９ｂ１の延出端からさらに分岐してＹ軸方向に沿って延出する一対の第２の分岐部２９ｂ２と、から構成される。なお、グランド配線分岐部２９ｂと駆動電極部２６との間には、グランド配線分岐部２９ｂの外形に倣う切り欠きが形成されており、この切り欠きによってグランド配線分岐部２９ｂと駆動電極部２６との短絡が防止されている。分岐部本体２９ｂ１は、Ｙ軸方向についての配置が駆動電極部２６における長辺方向の略中央位置（Ｙ軸方向について隣り合う検出電極部２７の境界位置）とされるとともに、駆動電極部２６及び検出電極部２７におけるＸ軸方向に沿う外縁部に倣ってジグザグ状に繰り返し折れ曲がる平面形状とされている。分岐部本体２９ｂ１における屈曲部分の屈曲角度は、駆動電極部２６及び検出電極部２７におけるＸ軸方向に沿う外縁部の屈曲部分の屈曲角度とほぼ同じとされる。第２の分岐部２９ｂ２は、配線２５及びグランド配線本体２９ａに倣ってジグザグ状に繰り返し折れ曲がる平面形状とされており、その屈曲部分の屈曲角度が配線２５及びグランド配線本体２９ａにおける屈曲部分の屈曲角度とほぼ同じとされる。
【００３８】
ダミー電極部３０は、図８に示すように、駆動電極部２６と、配線群２５Ｇのうち上記駆動電極部２６に接続された配線２５に対して隣り合う配線２５と、の間に介在する形で配されている。ダミー電極部３０は、Ｙ軸方向に沿って細長い方形状をなしており、その長辺寸法が駆動電極部２６の長辺寸法より僅かに短くなっている。ダミー電極部３０は、Ｙ軸方向に沿って複数が並ぶ形で配されており、Ｙ軸方向について隣り合うダミー電極部３０の間には、配線２５における駆動電極部２６への接続部分が介在する形で配されている。ダミー電極部３０は、図９に示すように、配線２５に倣ってジグザグ状に繰り返し折れ曲がる平面形状とされており、その屈曲部分の屈曲角度が配線２５における屈曲部分の屈曲角度とほぼ同じとされる。Ｙ軸方向に沿って並ぶ複数のダミー電極部３０は、図９及び図１０に示すように、その短辺寸法（Ｘ軸方向についての寸法）がＹ軸方向についての位置に応じて変化しており、タッチパネル用フレキシブル基板２４に近いもの（図９及び図１０に示す下側のもの）ほど短辺寸法が小さく、逆にタッチパネル用フレキシブル基板２４から遠いもの（図９及び図１０に示す上側のもの）ほど短辺寸法が大きくなっている。このようにＹ軸方向に沿って並ぶ複数のダミー電極部３０の短辺寸法を異ならせる理由について以下のように説明する。まず、Ｙ軸方向についてタッチパネル用フレキシブル基板２４に近い側ほど駆動電極部２６に未接続とされる配線２５の本数が多くなるとともに、Ｙ軸方向についてタッチパネル用フレキシブル基板２４から遠い側ほど駆動電極部２６に未接続とされる配線２５の本数が少なくなる一方で、Ｙ軸方向について並ぶ複数の駆動電極部２６及び検出電極部２７の短辺寸法がそれぞれ一定とされている、という事情がある。この事情により、Ｙ軸方向についてタッチパネル用フレキシブル基板２４から遠い側では、近い側に比べると、配線２５の減少に伴って配線群２５Ｇの配置スペースが減少しているので、駆動電極部２６と配線群２５Ｇとの間に相対的に大きなスペースが生じている。このスペースを埋める形でダミー電極部３０は配置されており、タッチパネル用フレキシブル基板２４から遠ざかるのに従って上記スペースが広がるのに追従する形でダミー電極部３０の短辺寸法も大きくなっているのである。これにより、駆動電極部２６と検出電極部２７とのＸ軸方向についての位置関係が、Ｙ軸方向についての位置に拘わらず一定に維持される。そして、このように駆動電極部２６と配線群２５Ｇとの間のスペースにダミー電極部３０が配されることで、同スペースが透光性導電膜の非形成領域となることが避けられる。透光性導電膜は、高い透光性を有しているものの、僅かに光を吸収または反射し得るものとされているので、その形成領域と非形成領域とでは、透過光量に僅かな差が生じ得るものとされる。従って、ダミー電極部３０によって駆動電極部２６と配線群２５Ｇとの間のスペースが透光性導電膜の非形成領域とならないことで、輝度ムラの発生が抑制されている。なお、ダミー電極部３０は、他の配線や電極部のいずれにも接続されておらず、電気的に孤立したものである。
【００３９】
上記した構成のタッチパネル１２の製造に際しては、基板２３上に透光性導電膜を、真空蒸着法やスパッタリング法などにより成膜した後に、その透光性導電膜上にフォトレジストを形成する。そして、透光性導電膜上のフォトレジストを、フォトマスクを介して露光した後に、現像及びエッチングを順次に行うことで、透光性導電膜にフォトマスクのパターンが転写され、各配線２５，２８，２９及び各電極部２６，２７，３０のパターンが基板２３上に形成される。ここで、各配線２５，２８，２９及び各電極部２６，２７，３０は、上記したフォトリソグラフィ法の各工程を経て形成されるため、それらの外縁部にそれぞれテーパ面ＴＦが生じ得るものとされる。このテーパ面ＴＦにおいて外光が反射すると、その反射光が当該液晶表示装置１０及びタッチパネル１２の使用者に視認される可能性がある。このようなテーパ面ＴＦが、透光性導電膜からなる構造物のうち比較的大きな面積を持つ駆動電極部２６及び検出電極部２７の外縁部に生じ、そこで外光が反射されると、駆動電極部２６及び検出電極部２７のパターンが使用者に視認されるおそれがあった。そうなると、液晶パネル１１に表示された画像に係る表示品位が低下する問題が生じる可能性があった。
【００４０】
そこで、タッチパネル１２において透光性導電膜からなる構造物のうち、少なくとも駆動電極部２６及び検出電極部２７には、図９及び図１０に示すように、それぞれスリット３１が形成されている。このため、駆動電極部２６及び検出電極部２７におけるスリット３１に臨む縁部には、図１２に示すように、駆動電極部２６及び検出電極部２７の外縁部と同様に製造に伴ってテーパ面ＴＦが生じることになる。従って、外光が駆動電極部２６及び検出電極部２７の外縁部に生じたテーパ面ＴＦにて反射される状況では、そのテーパ面ＴＦに加えて駆動電極部２６及び検出電極部２７におけるスリット３１に臨む縁部に生じたテーパ面ＴＦでも反射されることになる。これにより、駆動電極部２６及び検出電極部２７の外縁部に生じたテーパ面ＴＦでの反射光が目立ち難くなる。その上で、駆動電極部２６及び検出電極部２７において、スリット３１は、配線群２５Ｇを構成する配線２５に倣って延在する形で形成されている。このため、配線群２５Ｇを構成する複数の配線２５の外縁部に生じたテーパ面ＴＦでの反射光と、駆動電極部２６及び検出電極部２７における配線２５に倣う（Ｙ軸方向に沿う）外縁部に生じたテーパ面ＴＦでの反射光と、駆動電極部２６及び検出電極部２７におけるスリット３１に臨む縁部に生じたテーパ面ＴＦでの反射光と、が同じように視認され易くなり、特定のパターンとしては視認され難くなる。以上により、駆動電極部２６及び検出電極部２７のパターンが液晶表示装置１０及びタッチパネル１２の使用者に視認される事態が生じ難いものとされる。なお、図８は、透光性導電膜からなる構造物の平面配置を模式的に表す図面であるため、同図ではスリット３１の記載を省略している。以下、スリット３１の詳しい構成について説明する。
【００４１】
スリット３１は、図９及び図１０に示すように、配線２５に倣ってジグザグ状に繰り返し折れ曲がる平面形状とされており、その途中に屈曲部３１ａを有している。スリット３１の屈曲部３１ａにおける屈曲角度は、配線２５における屈曲部分の屈曲角度とほぼ同じとされる。スリット３１は、駆動電極部２６及び検出電極部２７において、それぞれＸ軸方向に沿って間隔を空けて複数ずつ並んで配されている。つまり、スリット３１の並び方向は、配線２５の並び方向と一致している。駆動電極部２６に形成された複数のスリット３１は、Ｘ軸方向に沿って並ぶ他のスリット３１とは繋がらず、相互に独立した（分離された）形で配されている。同様に、検出電極部２７に形成された複数のスリット３１は、Ｘ軸方向に沿って並ぶ他のスリット３１とは繋がらず、相互に独立した（分離された）形で配されている。仮に複数のスリットを相互に繋ぐ形で形成した場合に比べると、駆動電極部２６及び検出電極部２７に分断箇所が生じることが避けられるから、駆動電極部２６及び検出電極部２７の電気抵抗を低く保つことができる。
【００４２】
スリット３１は、図１１に示すように、その幅ＳＷ１が、配線群２５Ｇに含まれて互いに隣り合う配線２５の間の間隔ＬＣ１と一致するよう形成されている。ここで、配線群２５Ｇは、互いに隣り合う配線２５の間の間隔ＬＣ１が一定となる構成とされている。従って、駆動電極部２６及び検出電極部２７におけるスリット３１に臨む縁部に生じたテーパ面ＴＦでの反射光と、配線群２５Ｇに含まれる全ての配線２５におけるそれぞれの外縁部に生じたテーパ面ＴＦでの反射光と、が同じようにより視認され易くなり、特定のパターンとしてはより視認され難くなる。しかも、互いに隣り合うスリット３１の間の間隔ＳＣ１（駆動電極部２６及び検出電極部２７のうち隣り合うスリット３１の間に挟まれた部分の幅）は、配線群２５Ｇに含まれる配線２５の線幅ＬＷ１と一致している。さらに詳しくは、互いに隣り合うスリット３１の間の間隔ＳＣ１は、配線群２５Ｇに含まれて互いに線幅が異なる複数の配線２５の線幅のうち最も広い線幅ＬＷ１と一致するよう形成されている。これにより、駆動電極部２６及び検出電極部２７におけるスリット３１に臨む縁部に生じたテーパ面ＴＦでの反射光と、配線群２５Ｇに含まれる複数の配線２５のうち最も広い線幅ＬＷ１とされた配線２５の外縁部に生じたテーパ面でＴＦの反射光と、が同じようにより視認され易くなり、特定のパターンとしてはより視認され難くなる。以上により、駆動電極部２６及び検出電極部２７のパターンがより視認され難いものとなる。
【００４３】
上記のような構成のスリット３１は、図９及び図１０に示すように、駆動電極部２６及び検出電極部２７に加えて、ダミー電極部３０にも形成されている。このようにダミー電極部３０にもスリット３１が形成されることで、ダミー電極部３０のパターンが使用者に視認され難くなっている。ダミー電極部３０に形成されたスリット３１は、駆動電極部２６及び検出電極部２７に形成されたものと同様に、配線２５に倣ってジグザグ状に繰り返し折れ曲がる平面形状とされており、その屈曲部分の屈曲角度が配線２５における屈曲部分の屈曲角度とほぼ同じとされる。ダミー電極部３０に形成されたスリット３１は、Ｘ軸方向に沿って間隔を空けて複数並んで配されるとともに、Ｘ軸方向に沿って並ぶ他のスリット３１とは繋がらず、相互に独立した（分離された）形で配されている。従って、仮に複数のスリットを相互に繋ぐ形で形成した場合に比べると、ダミー電極部３０に分断箇所が生じることが避けられる。ダミー電極部３０は、既述した通り、Ｙ軸方向についての位置によって短辺寸法が異なっているので、タッチパネル用フレキシブル基板２４に近い側に配されて相対的に短辺寸法が小さなダミー電極部３０では、図９に示すように、形成されるスリット３１の本数が少なくなるのに対し、タッチパネル用フレキシブル基板２４から遠い側に配されて相対的に短辺寸法が大きなダミー電極部３０では、図１０に示すように、形成されるスリット３１の本数が多くなっている。また、ダミー電極部３０に形成されたスリット３１は、図１１に示すように、その幅ＳＷ１と、隣り合うスリット３１の間の間隔ＳＣ１と、が駆動電極部２６及び検出電極部２７のそれぞれに形成されたスリット３１に係る幅ＳＷ１及び間隔ＳＣ１とそれぞれ同じ大きさとされているので、ダミー電極部３０も駆動電極部２６及び検出電極部２７と同様にそのパターンが視認され難くなっている。
【００４４】
以上説明したように本実施形態のタッチパネル（位置入力装置）１２は、透光性導電膜からなり、それぞれ間隔を空けて並ぶ複数の配線２５からなる配線群２５Ｇと、透光性導電膜からなり、配線群２５Ｇに隣り合う形で配される電極部である駆動電極部２６及び検出電極部２７であって、配線２５に倣って延在するスリット３１が形成されてなる電極部である駆動電極部２６及び検出電極部２７と、を備える。
【００４５】
いずれも透光性導電膜からなる複数の配線２５及び電極部である駆動電極部２６及び検出電極部２７における外縁部には、製造上の理由からそれぞれテーパ面ＴＦが生じる場合がある。このテーパ面ＴＦでは、外光が反射され得るため、電極部である駆動電極部２６及び検出電極部２７の外縁部に生じたテーパ面ＴＦでの反射光によって電極部である駆動電極部２６及び検出電極部２７のパターンが視認されてしまうおそれがある。その点、電極部である駆動電極部２６及び検出電極部２７にスリット３１が形成されることで、電極部である駆動電極部２６及び検出電極部２７におけるスリット３１に臨む縁部にも、外縁部と同様にテーパ面ＴＦが生じることになるので、外光が電極部である駆動電極部２６及び検出電極部２７の外縁部に生じたテーパ面ＴＦに加えてスリット３１に臨む縁部に生じたテーパ面ＴＦでも反射される。これにより、電極部である駆動電極部２６及び検出電極部２７の外縁部に生じたテーパ面ＴＦでの反射光が目立ち難くなる。しかも、スリット３１が配線２５に倣って延在する形で電極部である駆動電極部２６及び検出電極部２７に形成されているから、配線群２５Ｇを構成する複数の配線２５の外縁部に生じたテーパ面ＴＦでの反射光と、電極部である駆動電極部２６及び検出電極部２７における配線２５に倣う外縁部に生じたテーパ面ＴＦでの反射光と、電極部である駆動電極部２６及び検出電極部２７におけるスリット３１に臨む縁部に生じたテーパ面ＴＦでの反射光と、が同じように視認され易くなり、特定のパターンとしては視認され難くなる。以上により、電極部である駆動電極部２６及び検出電極部２７のパターンが当該タッチパネル１２の使用者に視認される事態が生じ難いものとされる。
【００４６】
また、電極部である駆動電極部２６及び検出電極部２７には、スリット３１が間隔を空けて複数並ぶとともに相互に独立した形で形成されている。このようにすれば、仮に複数のスリットを相互に繋ぐ形で形成した場合に比べると、電極部である駆動電極部２６及び検出電極部２７に分断箇所が生じることが避けられるから、電極部である駆動電極部２６及び検出電極部２７の電気抵抗を低く保つことができる。
【００４７】
また、電極部である駆動電極部２６及び検出電極部２７は、スリット３１の幅ＳＷ１が、配線群２５Ｇに含まれて互いに隣り合う配線２５の間の間隔ＬＣ１と一致するよう形成されている。このようにすれば、電極部である駆動電極部２６及び検出電極部２７におけるスリット３１に臨む縁部に生じたテーパ面ＴＦでの反射光と、配線群２５Ｇに含まれる複数の配線２５のうちスリット３１の幅ＳＷ１と一致する間隔ＬＣ１を空けて互いに隣り合う配線２５の外縁部に生じたテーパ面ＴＦでの反射光と、が同じようにより視認され易くなり、特定のパターンとしてはより視認され難くなる。これにより、電極部である駆動電極部２６及び検出電極部２７のパターンがより視認され難いものとなる。
【００４８】
また、電極部である駆動電極部２６及び検出電極部２７は、スリット３１が間隔を空けて複数並ぶとともに隣り合うスリット３１の間の間隔ＳＣ１が、配線群２５Ｇに含まれる配線２５の線幅ＬＷ１と一致するよう形成されている。このようにすれば、電極部である駆動電極部２６及び検出電極部２７におけるスリット３１に臨む縁部に生じたテーパ面ＴＦでの反射光と、配線群２５Ｇに含まれる複数の配線２５のうち線幅ＬＷ１が隣り合うスリット３１の間の間隔ＳＣ１と一致する配線２５の外縁部に生じたテーパ面ＴＦでの反射光と、が同じようにより視認され易くなり、特定のパターンとしてはより視認され難くなる。これにより、電極部である駆動電極部２６及び検出電極部２７のパターンがより視認され難いものとなる。
【００４９】
また、配線群２５Ｇは、配線２５に線幅が異なるものが含まれる構成とされており、電極部である駆動電極部２６及び検出電極部２７は、隣り合うスリット３１の間の間隔ＳＣ１が、配線２５の線幅のうち最も広い線幅ＬＷ１と一致するよう形成されている。このようにすれば、電極部である駆動電極部２６及び検出電極部２７におけるスリット３１に臨む縁部に生じたテーパ面ＴＦでの反射光と、配線群２５Ｇに含まれる複数の配線２５のうち線幅ＬＷ１が最も広い配線２５の外縁部に生じたテーパ面ＴＦでの反射光と、が同じようにより視認され易くなり、特定のパターンとしてはより視認され難くなる。これにより、電極部である駆動電極部２６及び検出電極部２７のパターンがより視認され難いものとなる。
【００５０】
また、配線群２５Ｇは、複数の配線２５がそれぞれジグザグ状に折れ曲がりつつ延在する平面形状とされており、電極部である駆動電極部２６及び検出電極部２７は、スリット３１が途中に屈曲部３１ａを有する平面形状となるよう形成されている。このようにすれば、配線群２５Ｇを構成する複数の配線２５がジグザグ状に折れ曲がりつつ延在する平面形状とされることで、当該タッチパネル１２を液晶表示装置１０と組み合わせて使用した場合に液晶パネル１１の表示画素との干渉が避けられて、モアレが生じ難くなる。その上で、スリット３１が配線２５に倣って途中に屈曲部３１ａを有する平面形状とされることで、配線２５の外縁部に生じたテーパ面ＴＦでの反射光と、電極部である駆動電極部２６及び検出電極部２７におけるスリット３１に臨む縁部に生じたテーパ面ＴＦでの反射光と、が同じように視認され易くなり、特定のパターンとしては視認され難くなる。これにより、電極部である駆動電極部２６及び検出電極部２７のパターンが視認され難くなる。
【００５１】
また、電極部は、配線群２５Ｇに含まれるいずれかの配線２５に接続されることで電界を発することが可能な駆動電極部２６と、駆動電極部２６に対して隣り合う形で配されるとともに駆動電極部２６から発せられた電界を検出する検出電極部２７と、からなるものとされており、駆動電極部２６及び検出電極部２７は、それぞれスリット３１が形成されてなる。このようにすれば、電極部を構成する駆動電極部２６は、配線群２５Ｇを構成する複数の配線２５に含まれるいずれかの配線２５に接続されることで電界を発することが可能とされる。駆動電極部２６から発せられた電界は、電極部を構成する検出電極部２７により検出される。ここで、当該タッチパネル１２の使用者が位置入力のために電極部である駆動電極部２６及び検出電極部２７に指などを近づけた場合には、駆動電極部２６から発せられた電界の一部が近づけた指などによって吸収されることで、検出電極部２７にて検出される電界の強さが変化するので、そのような電界の変化に基づいて入力位置が検出される。そして、電極部を構成する検出電極部２７及び駆動電極部２６にそれぞれスリット３１が形成されているので、検出電極部２７及び駆動電極部２６のパターンがいずれも使用者に視認され難くなっている。
【００５２】
また、駆動電極部２６及び検出電極部２７は、配線２５に沿って複数ずつ並んで配されており、透光性導電膜からなり、配線群２５Ｇと駆動電極部２６との間に介在する形で配されるとともに、スリット３１が形成されてなるダミー電極部３０を備える。このようにすれば、配線群２５Ｇに含まれる複数の配線２５は、配線２５に沿って複数並ぶ駆動電極部２６に対して順次に接続されることになる。このため、配線群２５Ｇに含まれる配線２５の本数は、その延在方向について引き出し元側から引き出し先側に向けて次第に減少することになる。これに対して透光性導電膜からなるダミー電極部３０は、配線群２５Ｇと駆動電極部２６との間に介在する形で配されているので、配線２５の引き出し先側において配線群２５Ｇに含まれる配線２５の本数が減少しても、その減少した配線２５の面積を補うことができ、それにより透過光にムラが生じるのを抑制している。そして、このダミー電極部３０にも駆動電極部２６及び検出電極部２７と同様にスリット３１が形成されることで、ダミー電極部３０のパターンが使用者に視認され難くなる。
【００５３】
また、駆動電極部２６は、配線群２５Ｇに対して配線２５の並び方向（Ｘ軸方向）について隣り合う形で配されるのに対し、検出電極部２７は、駆動電極部２６に対して並び方向について配線群２５Ｇ側とは反対側に隣り合う形で配されており、駆動電極部２６及び検出電極部２７は、その外縁部の一部が配線２５の外縁部に並行するよう形成されるとともに、スリット３１が配線２５の外縁部に並行するよう形成されている。このようにすれば、駆動電極部２６及び検出電極部２７のうちの配線２５の外縁部に並行する外縁部に生じたテーパ面ＴＦでの反射光と、配線群２５Ｇを構成する複数の配線２５の外縁部に生じたテーパ面ＴＦでの反射光と、駆動電極部２６及び検出電極部２７におけるスリット３１に臨む縁部に生じたテーパ面ＴＦでの反射光と、が同じように視認され易くなり、特定のパターンとしては視認され難くなる。以上により、駆動電極部２６及び検出電極部２７のパターンが当該タッチパネル１２の使用者に視認される事態が生じ難いものとされる。
【００５４】
また、本実施形態に係る液晶表示装置１０は、上記記載のタッチパネル１２と、タッチパネル１２に対して内側にて対向状に配される液晶パネル（表示パネル）１１と、を備える。このような液晶表示装置１０によれば、液晶パネル１１に表示された画像に対する使用者の入力位置をタッチパネル１２によって検出することができる。タッチパネル１２は、液晶パネル１１に対して外側に配されることになるので、外光が電極部である駆動電極部２６及び検出電極部２７の外縁部に生じたテーパ面ＴＦにて反射されると、その反射光が直接的に当該液晶表示装置１０の使用者に視認され易くなっているものの、電極部である駆動電極部２６及び検出電極部２７にスリット３１が形成されることで、電極部である駆動電極部２６及び検出電極部２７のパターンが使用者に視認され難いものとされ、もって表示品位を高いものとすることができる。
【００５５】
＜実施形態２＞
本発明の実施形態２を図１３から図１８によって説明する。この実施形態２では、上記した実施形態１から短絡配線２８及びグランド配線２９を省略するとともに、配線群１２５Ｇ及び各電極部１２６，１２７，１３０のパターンをそれぞれ変更したものを示す。なお、上記した実施形態１と同様の構造、作用及び効果について重複する説明は省略する。また、図１３、図１４、図１５、及び図１７では、透光性導電膜の形成範囲を網掛け状にして示すとともに、区別のためにその模様を、配線群１２５Ｇと、駆動電極部１２６及び検出電極部１２７と、ダミー電極部１３０と、で異ならせている。
【００５６】
本実施形態に係る駆動電極部１２６及び検出電極部１２７は、図１３に示すように、平面形状が縦長の略菱形をなすよう形成されており、その短軸方向（短い対角線の延在方向）がＸ軸方向と一致し、長軸方向（長い対角線の延在方向）がＹ軸方向と一致している。駆動電極部１２６を平面に視たときの４つの角部における角度と、検出電極部１２７を平面に視たときの４つの角部における角度と、は互いに一致している。つまり、駆動電極部１２６及び検出電極部１２７は、その平面に視た外形が相似形をなしている。駆動電極部１２６及び検出電極部１２７は、それぞれの長軸方向についての寸法がほぼ同じとされるとともに、それぞれの短軸方向についての寸法がほぼ同じとされている。つまり、駆動電極部１２６及び検出電極部１２７は、その平面に視た外形が概ね同じとされている。駆動電極部１２６及び検出電極部１２７は、それぞれがＹ軸方向に沿って複数ずつ並んで配されるとともに、Ｙ軸方向について相互に位置ずれした配置とされることで、互いの外縁部が並行するよう隣り合って配されている。互いに隣り合う駆動電極部１２６と検出電極部１２７とのＹ軸方向についての位置ずれ量は、駆動電極部１２６及び検出電極部１２７の長軸方向についての寸法の半分程度の長さとされる。従って、互いに隣り合う駆動電極部１２６及び検出電極部１２７は、千鳥状に並んで配されるとともに、タッチ領域ＴＡを平面充填する形で二次元的に配置されている。このうち、Ｙ軸方向について隣り合う駆動電極部１２６は、相互に連なることがなく、物理的に分離されているのに対して、Ｙ軸方向について隣り合う検出電極部１２７は、長軸方向についての端部同士が直接連なっている。従って、Ｙ軸方向に沿って並んだ複数の検出電極部１２７は、上記した実施形態１に記載した短絡配線２８を介することなく、電気的に直接接続されている。このように検出電極部１２７は、Ｙ軸方向に隣り合うもの同士が相互に直接連なっているため、その外形が駆動電極部１２６の外形とは僅かに異なっている。
【００５７】
配線群１２５Ｇは、図１３に示すように、駆動電極部１２６と検出電極部１２７との間に介在する形で配されている。より詳しくは、配線群１２５Ｇは、駆動電極部１２６と次述するダミー電極部１３０とにそれぞれ隣接する形で配されている。配線群１２５Ｇを構成する複数の配線１２５は、駆動電極部１２６及び検出電極部１２７の外縁部に並行するようジグザグ状に繰り返し折れ曲がりつつ延在する平面形状とされている。配線１２５は、その屈曲部分の屈曲角度が、駆動電極部１２６及び検出電極部１２７をそれぞれ平面に視たときの短軸方向についての角部における角度とほぼ等しいものとされる。この配線１２５における屈曲部分の屈曲角度は、上記した実施形態１に記載した配線２５における屈曲部分の屈曲角度（図９を参照）よりも相対的に大きなものとされる。配線群１２５Ｇを構成する複数の配線１２５は、駆動電極部１２６をＸ軸方向について両側から挟み込む形で配されるとともに、そのうちの駆動電極部１２６に隣接するものが駆動電極部１２６に接続されている。配線群１２５Ｇを構成する複数の配線１２５は、線幅ＬＷ２がほぼ一定とされるとともに、隣り合う配線１２５の間の間隔ＬＣ２（図１５及び図１７を参照）もほぼ一定とされる。配線群１２５Ｇを構成する複数の配線１２５には、Ｙ軸方向に沿って並ぶ複数の駆動電極部１２６に対してＸ軸方向について一方側（図１３に示す左側）に隣り合う複数の第１配線１２５Ａと、Ｘ軸方向について他方側（図１３に示す右側）に隣り合う複数の第２配線１２５Ｂと、が含まれている。このうち、第１配線１２５Ａは、Ｙ軸方向についての端から数えて奇数番目または偶数番目の駆動電極部１２６に接続されるのに対し、第２配線１２５Ｂは、Ｙ軸方向についての端から数えて偶数番目または奇数番目の駆動電極部１２６に接続されている。つまり、Ｙ軸方向に沿って並ぶ複数の駆動電極部１２６には、Ｘ軸方向について一方側に隣り合う第１配線１２５Ａと、Ｘ軸方向について他方側に隣り合う第２配線１２５Ｂとが交互に接続されている。
【００５８】
ダミー電極部１３０は、図１３に示すように、駆動電極部１２６と検出電極部１２７との間に介在する形で配されており、より詳しくは上記した配線群１２５Ｇと検出電極部１２７とにそれぞれ隣接する形で配されている。ダミー電極部１３０は、配線１２５及び検出電極部１２７の外縁部に倣って延在する細長い略方形状をなしている。ダミー電極部１３０は、その長さ寸法が検出電極部１２７における一辺の寸法の概ね半分程度の大きさとされており、検出電極部１２７の一辺毎に２つずつ並んで配されている。ダミー電極部１３０は、隣接する配線群１２５Ｇ及び検出電極部１２７とは物理的に分離された島状をなしていて、電気的に孤立している。Ｙ軸方向に沿って並ぶ複数のダミー電極部１３０は、図１３及び図１４に示すように、その短辺寸法がＹ軸方向についての位置に応じて変化しており、図示しないタッチパネル用フレキシブル基板に近いもの（図１３及び図１４に示す下側のもの）ほど短辺寸法が小さく、逆にタッチパネル用フレキシブル基板から遠いもの（図１３及び図１４に示す上側のもの）ほど短辺寸法が大きくなっている。このようにＹ軸方向に沿って並ぶ複数のダミー電極部１３０の短辺寸法を異ならせる理由は、上記した実施形態１に記載した通りである。そして、ダミー電極部１３０の短辺寸法を上記のように異ならせることで、駆動電極部１２６と検出電極部１２７とのＸ軸方向についての位置関係がＹ軸方向についての位置に拘わらず一定に維持されるとともに、駆動電極部１２６と配線群１２５Ｇとの間のスペースが透光性導電膜の非形成領域とならないことで輝度ムラの発生が抑制されている。
【００５９】
スリット１３１は、図１３及び図１４に示すように、駆動電極部１２６、検出電極部１２７、及びダミー電極部１３０にそれぞれ形成されている。駆動電極部１２６、検出電極部１２７、及びダミー電極部１３０のそれぞれに形成されたスリット１３１は、配線群１２５Ｇを構成する配線１２５に倣って延在する形態とされる。スリット１３１は、図１５及び図１７に示すように、その幅ＳＷ２が、配線群１２５Ｇを構成するとともに互いに隣り合う配線１２５の間の間隔ＬＣ２と一致するよう形成されている。しかも、スリット１３１は、その延在方向と交差する方向について隣り合うスリット１３１との間の間隔ＳＣ２（駆動電極部１２６、検出電極部１２７、及びダミー電極部１３０のうち隣り合うスリット１３１の間に挟まれた部分の幅）が、配線群１２５Ｇに含まれる配線１２５の幅ＬＷ２とほぼ同じ大きさとされている。スリット１３１には、駆動電極部１２６及び検出電極部１２７に形成された第１スリット（センサ電極用スリット）１３１Ａと、ダミー電極部１３０に形成された第２スリット（ダミー電極用スリット）１３１Ｂと、が含まれている。
【００６０】
第１スリット１３１Ａは、図１３及び図１４に示すように、駆動電極部１２６または検出電極部１２７においてＹ軸方向について隣り合う２つの辺に跨る範囲にわたって延在しており、その中央部に屈曲部１３１ａを１つのみ有する略Ｖ字型の平面形状となるよう形成されている。第１スリット１３１Ａは、その屈曲部１３１ａにおける屈曲角度が、配線１２５における屈曲部分の屈曲角度（駆動電極部１２６及び検出電極部１２７をそれぞれ平面に視たときの短軸方向についての角部における角度）とほぼ同じとされる。駆動電極部１２６または検出電極部１２７に形成された第１スリット１３１Ａは、駆動電極部１２６または検出電極部１２７における短軸方向（Ｘ軸方向）についての中央位置を境にして、平面形状が左右に反転した配置とされている。つまり、第１スリット１３１Ａは、駆動電極部１２６または検出電極部１２７におけるＸ軸方向についての中央位置を通るＹ軸方向に沿った対称軸を中心にして、線対称をなす形で配置されている。従って、駆動電極部１２６及び検出電極部１２７は、その短軸方向についての中央部が、第１スリット１３１Ａが形成されないスリット非形成部位となっていて、このスリット非形成部位が上記対称軸に沿ってＹ軸方向に沿って真っ直ぐに延在している。第１スリット１３１Ａは、駆動電極部１２６及び検出電極部１２７においてそれぞれ複数ずつ間隔を空けて並んで配されている。互いに隣り合う複数の第１スリット１３１Ａは、その長さ寸法が互いに異なるものの、屈曲部１３１ａの屈曲角度が同一とされていて互いに相似形をなしている。また、互いに隣り合う複数の第１スリット１３１Ａは、隣り合う第１スリット１３１Ａとは繋がることがなく、相互に独立した（分離された）形で配されている。駆動電極部１２６または検出電極部１２７に形成された複数の第１スリット１３１Ａは、駆動電極部１２６または検出電極部１２７における短軸方向についての中央位置に近いものほど長さ寸法が小さく、逆に駆動電極部１２６または検出電極部１２７における外縁部に近いものほど長さ寸法が大きくなるよう形成されている。
【００６１】
第２スリット１３１Ｂは、図１３及び図１４に示すように、ダミー電極部１３０における長辺側の外縁部に沿ってほぼ真っ直ぐに延在しているので、第１スリット１３１Ａのような屈曲部１３１ａが途中に形成されない構成となっている。第２スリット１３１Ｂは、その長さ寸法がダミー電極部１３０の長辺寸法の半分弱程度の大きさとされている。第２スリット１３１Ｂは、ダミー電極部１３０の長辺側の外縁部に沿って２つ並んで配されている。第２スリット１３１Ｂは、ダミー電極部１３０の短辺側の外縁部に沿って複数が間隔を空けて並んで配されている。ダミー電極部１３０の短辺側の外縁部に沿って隣り合う複数の第２スリット１３１Ｂは、相互に独立した（分離された）形で配されている。
【００６２】
このように駆動電極部１２６、検出電極部１２７、及びダミー電極部１３０にスリット１３１が形成されることで、駆動電極部１２６、検出電極部１２７、及びダミー電極部１３０におけるスリット１３１に臨む縁部には、図１６及び図１８に示すように、駆動電極部１２６、検出電極部１２７、及びダミー電極部１３０の外縁部と同様に製造に伴ってテーパ面ＴＦが生じることになる。従って、外光が駆動電極部１２６、検出電極部１２７、及びダミー電極部１３０の外縁部に生じたテーパ面ＴＦにて反射される状況では、そのテーパ面ＴＦに加えて駆動電極部１２６、検出電極部１２７、及びダミー電極部１３０におけるスリット１３１に臨む縁部に生じたテーパ面ＴＦでも反射されることになる。これにより、駆動電極部１２６、検出電極部１２７、及びダミー電極部１３０の外縁部に生じたテーパ面ＴＦでの反射光が目立ち難くなる。しかも、駆動電極部１２６、検出電極部１２７、及びダミー電極部１３０において、スリット１３１が配線群１２５Ｇを構成する配線１２５に倣って延在する形で形成されているので、配線群１２５Ｇを構成する複数の配線１２５の外縁部に生じたテーパ面ＴＦでの反射光と、駆動電極部１２６、検出電極部１２７、及びダミー電極部１３０における配線１２５に倣う外縁部に生じたテーパ面ＴＦでの反射光と、駆動電極部１２６、検出電極部１２７、及びダミー電極部１３０におけるスリット１３１に臨む縁部に生じたテーパ面ＴＦでの反射光と、が同じように視認され易くなり、特定のパターンとしては視認され難くなる。以上により、駆動電極部１２６、検出電極部１２７、及びダミー電極部１３０のパターンが使用者に視認される事態が生じ難いものとされる。
【００６３】
以上説明したように本実施形態によれば、駆動電極部１２６及び検出電極部１２７は、それぞれ菱形の平面形状を有するとともに互いの外縁部が並行するよう隣り合って配されているのに対し、配線群１２５Ｇは、駆動電極部１２６と検出電極部１２７との間に介在する形で配されるとともに、配線１２５が駆動電極部１２６及び検出電極部１２７の外縁部に並行するようジグザグ状に折れ曲がりつつ延在する平面形状とされており、駆動電極部１２６及び検出電極部１２７は、それぞれスリット１３１が途中に屈曲部１３１ａを有する平面形状となるよう形成されている。このようにすれば、それぞれ菱形の平面形状を有する駆動電極部１２６及び検出電極部１２７の外縁部に生じたテーパ面ＴＦでの反射光と、駆動電極部１２６及び検出電極部１２７の外縁部に並行するようジグザグ状に折れ曲がりつつ延在する平面形状とされる複数の配線１２５における外縁部に生じたテーパ面ＴＦでの反射光と、駆動電極部１２６及び検出電極部１２７におけるスリット１３１に臨む縁部に生じたテーパ面ＴＦでの反射光と、が同じように視認され易くなり、特定のパターンとしては視認され難くなる。以上により、駆動電極部１２６及び検出電極部１２７のパターンが使用者に視認される事態が生じ難いものとされる。
【００６４】
＜実施形態３＞
本発明の実施形態３を図１９によって説明する。この実施形態３では、上記した実施形態１からスリット２３１の幅ＳＷ３を変更したものを示す。なお、上記した実施形態１と同様の構造、作用及び効果について重複する説明は省略する。
【００６５】
本実施形態に係るスリット２３１は、図１９に示すように、隣り合うスリット２３１の間の間隔ＳＣ３が、配線群２２５Ｇに含まれる複数の配線２２５の線幅のうち、最も広い線幅ＬＷ１と最も狭い線幅ＬＷ３との中間となる値ＬＷ４となるよう形成されている。既述した通り、配線群２２５Ｇに含まれる配線２２５は、その線幅が、接続対象である駆動電極部２２６に近くなる（図１９に示す左側）ほど狭くなり、逆に接続対象である駆動電極部２２６から遠ざかる（図１９に示す右側）ほど広くなっている。図１９には、４本の配線２２５によって配線群２２５Ｇを構成したものが示されており、同図においては、配線群２２５Ｇのうち、左端にあって最も駆動電極部２２６に近い配線２２５が最も狭い線幅ＬＷ３とされるのに対し、右端にあって最も駆動電極部２２６から遠い配線２２５が最も広い線幅ＬＷ１とされている。そして、駆動電極部２２６、検出電極部２２７、及びダミー電極部２３０は、隣り合うスリット２３１の間の間隔ＳＣ３が、上記した最小の線幅ＬＷ３と最大の線幅ＬＷ１とを足した値（ＬＷ１＋ＬＷ３）を２で除して算出した中間の値ＬＷ４となるように形成されている。このような構成であっても、駆動電極部２２６、検出電極部２２７、及びダミー電極部２３０におけるスリット２３１に臨む縁部に生じたテーパ面（図示せず）での反射光と、配線群２２５Ｇに含まれたそれぞれの配線２２５の外縁部に生じたテーパ面での反射光と、が同じようにより視認され易くなり、特定のパターンとしてはより視認され難くなる。以上により、駆動電極部２２６、検出電極部２２７、及びダミー電極部２３０のパターンがより視認され難いものとなる。
【００６６】
以上説明したように本実施形態によれば、配線群２２５Ｇは、配線２２５に線幅が異なるものが含まれており、電極部である駆動電極部２２６及び検出電極部２２７（ダミー電極部２３０）は、隣り合うスリット２３１の間の間隔ＳＣ３が、配線２２５の線幅のうち最も狭い線幅ＬＷ３と最も広い線幅ＬＷ１との間となる値ＬＷ４となるよう形成されている。このようにすれば、電極部である駆動電極部２２６及び検出電極部２２７（ダミー電極部２３０）におけるスリット２３１に臨む縁部に生じたテーパ面での反射光と、配線群２２５Ｇに含まれる複数の配線２２５におけるそれぞれの外縁部に生じたテーパ面での反射光と、が同じように視認され易くなり、特定のパターンとしては視認され難くなる。これにより、電極部である駆動電極部２２６及び検出電極部２２７（ダミー電極部２３０）のパターンがより視認され難いものとなる。
【００６７】
＜他の実施形態＞
本発明は上記記述及び図面によって説明した実施形態に限定されるものではなく、例えば次のような実施形態も本発明の技術的範囲に含まれる。
（１）上記した各実施形態では、配線群に含まれる配線がジグザグ状の平面形状とされるとともに、スリットもそれに倣って屈曲した平面形状とされたものを示したが、それ以外にも配線及びスリットの具体的な平面形状は適宜に変更可能である。例えば、配線が波形に湾曲した平面形状とされた場合は、スリットもそれに倣って波形に湾曲した平面形状とするのが好ましい。また、配線が真っ直ぐに延在する平面形状とされた場合は、スリットもそれに倣って真っ直ぐに延在する平面形状とするのが好ましい。
【００６８】
（２）上記した各実施形態では、スリットの屈曲部における屈曲角度が、配線群に含まれる配線の屈曲部分の屈曲角度と等しくなる構成のものを示したが、スリットの屈曲部における屈曲角度が、配線群に含まれる配線の屈曲部分の屈曲角度とは異なる大きさとされていてもよい。それ以外にも、スリットの屈曲部における屈曲角度の具体的な数値は、適宜に変更することができ、同様に配線群に含まれる配線の屈曲部分の屈曲角度の具体的な数値も適宜に変更可能である。
【００６９】
（３）上記した各実施形態では、駆動電極部と検出電極部とダミー電極部とのそれぞれにスリットを形成した場合を示したが、駆動電極部と検出電極部とダミー電極部との中から適宜に選択される１つまたは２つにスリットを形成し、スリットが形成されないものが生じる構成とすることも可能である。
【００７０】
（４）上記した各実施形態では、タッチパネルにおけるタッチ領域に配された全ての駆動電極部、検出電極部、及びダミー電極部にスリットを形成した場合を示したが、タッチ領域に配された駆動電極部、検出電極部、及びダミー電極部の一部についてはスリットを形成せず、それ以外の駆動電極部、検出電極部、及びダミー電極部についてはスリットを形成する、といった構成を採ることも可能である。
【００７１】
（５）上記した各実施形態では、駆動電極部、検出電極部、及びダミー電極部にそれぞれ形成されたスリットの幅がほぼ等しくなるものを示したが、駆動電極部、検出電極部、及びダミー電極部にそれぞれ形成されたスリットの幅が互いに異なる構成とすることも可能である。
【００７２】
（６）上記した各実施形態では、駆動電極部、検出電極部、及びダミー電極部にそれぞれ形成されたスリットにおいて隣り合うスリットの間の間隔がほぼ等しくなるものを示したが、駆動電極部、検出電極部、及びダミー電極部にそれぞれ形成されたスリットにおいて隣り合うスリットの間の間隔が互いに異なる構成とすることも可能である。
【００７３】
（７）上記した各実施形態では、１つの駆動電極部、検出電極部、またはダミー電極部に形成された複数のスリットにおける幅が一定とされたものを示したが、１つの駆動電極部、検出電極部、またはダミー電極部に形成された複数のスリットにおける幅が位置に応じて変化する構成とすることも可能である。例えば、実施形態１，３において、駆動電極部に形成された複数のスリットに関して、検出電極部に近づくほどスリットの幅が広くなり、逆に配線群に近づくほどスリットの幅が狭くなるよう、スリットの幅を変化させることが可能である。それ以外にも、スリットの幅を具体的にどのように変化させるかは適宜に変更可能である。また、隣り合うスリットの間の間隔に関しても同様に変更することができる。
【００７４】
（８）上記した各実施形態では、隣り合うスリットが互いに繋がることがなく、分離した構成のものを示したが、隣り合うスリット同士を繋げる構成を採ることも可能である。その場合、同一の電極部に形成された複数のスリットのうちの一部のみを繋げるようにし、それ以外のスリットについては分離した構成を採ることも可能である。
【００７５】
（９）上記した各実施形態では、スリットの幅が、隣り合うスリットの間の間隔よりも小さくなる構成を示したが、それ以外にも、例えばスリットの幅が、隣り合うスリットの間の間隔よりも大きくなる構成を採ることができる。また、スリットの幅と、隣り合うスリットの間の間隔とが等しくなる構成とすることも可能である。その他にも、上記した各実施形態では、配線群に含まれる配線の線幅が、隣り合う配線の間の間隔よりも大きくなる構成を示したが、それ以外にも、例えば配線の線幅が、隣り合う配線の間の間隔よりも小さくなる構成を採ることができる。また、配線の線幅と、隣り合う配線の間の間隔とが等しくなる構成とすることも可能である。
【００７６】
（１０）上記した各実施形態では、スリットの幅が、配線群に含まれて互いに隣り合う配線の間の間隔と一致する構成としたものを示したが、スリットの幅が、配線群に含まれて互いに隣り合う配線の間の間隔とは異なる大きさとすることも可能である。また、上記した実施形態１，３では、隣り合うスリットの間の間隔が、配線群に含まれる配線の線幅うち、最も広い線幅、または最も広い線幅と最も狭い線幅との中間となる値、と一致する構成のものを示したが、それ以外にも、例えば、隣り合うスリットの間の間隔が、配線群に含まれる配線の線幅のうち、最も狭い線幅と一致する構成としたり、線幅の最大値と線幅の最小値との間となる線幅（値）と一致する構成とすることが可能である。なお、スリットの幅や隣り合うスリットの間の間隔に関して、その具体的な値は適宜に変更可能である。
【００７７】
（１１）上記した実施形態１，３では、配線群に含まれる配線の線幅が、Ｘ軸方向についての位置に応じて変化するのに対し、隣り合う配線の間の間隔については、Ｘ軸方向の位置に拘わらず一定とされた構成のものを示したが、各配線の線幅と、隣り合う配線の間の間隔と、が共にＸ軸方向の位置に拘わらず一定とする構成を採ることも可能である。逆に、各配線の線幅と、隣り合う配線の間の間隔と、が共にＸ軸方向についての位置に応じて変化する構成を採ることも可能である。また、隣り合う配線の間の間隔が、Ｘ軸方向についての位置に応じて変化するのに対し、各配線の線幅が、Ｘ軸方向の位置に拘わらず一定とされる構成を採ることも可能である。
【００７８】
（１２）上記した実施形態１，３では、複数の検出電極部が短絡配線を介して短絡された場合を例示したが、実施形態１，３においても、実施形態２と同様に、短絡配線を省略して隣り合う検出電極部同士が直接連なることで相互に短絡された構成を採ることも可能である。逆に、実施形態２において、実施形態１，３と同様に、短絡配線を介して複数の検出電極部が短絡される構成を採ることも可能である。
【００７９】
（１３）上記した実施形態１，３に記載した構成において、グランド配線を省略することも可能である。その場合、駆動電極部と検出電極部とが隣接する形で配されることになる。逆に、上記した実施形態２に記載した構成において、グランド配線を追加することも可能である。
【００８０】
（１４）上記した実施形態１，３では、互いに隣り合う駆動電極部と検出電極部とがＹ軸方向について位置ずれした配置とされたものを示したが、駆動電極部と検出電極部とがＹ軸方向について位置ずれすることなく、マトリクス状に平面配置される構成を採ることも可能である。
【００８１】
（１５）上記した実施形態２では、配線群に含まれる配線の線幅、及び隣り合う配線の間の間隔がそれぞれ一定とされたものを示したが、実施形態１，３と同様に、隣り合う配線の間の間隔を一定としつつ、配線の線幅を、配線の配置に応じて変化させても構わない。その場合、例えばタッチパネル用フレキシブル基板に近い駆動電極部に接続される配線については線幅を狭くし、タッチパネル用フレキシブル基板から遠い駆動電極部に接続される配線については線幅を広くするのが好ましい。また、実施形態２に記載した構成において、配線の線幅に加えて、隣り合う配線の間の間隔についても配線の配置に応じて変化させる構成を採ることも可能である。また、実施形態２に記載した構成において、配線の線幅については配線の配置に拘わらず一定とするのに対し、隣り合う配線の間の間隔については配線の配置に応じて変化させる構成を採ることも可能である。
【００８２】
（１６）上記した各実施形態に記載した構成において、ダミー電極部を省略することも可能である。
【００８３】
（１７）上記した各実施形態では、タッチパネルのタッチ領域と、液晶パネルの表示領域と、が互いに一致する構成のものを示したが、両者が完全に一致している必要はなく、例えばタッチパネルのタッチ領域が、液晶パネルの表示領域の全域と、非表示領域の一部（表示領域寄りの部分）とに跨る範囲に設定されていてもよい。
【００８４】
（１８）上記した各実施形態では、液晶パネルとは別途にタッチパネルを備えた液晶表示装置について例示したが、液晶パネルのうち外側に配された基板（ＣＦ基板）における外面側に各配線及び各電極部を直接形成するようにした構成を採ることも可能である。つまり、表示パネルをなす基板が位置入力装置の基板を兼用する構成であっても構わない。
【００８５】
（１９）上記した各実施形態では、タッチパネルの外側にカバーパネルを対向配置した液晶表示装置を示したが、カバーパネルを省略し、タッチパネルが最外位置に配される構成を採ることも可能である。
【００８６】
（２０）上記した各実施形態では、液晶パネルのカラーフィルタが赤色、緑色及び青色の３色構成とされたものを例示したが、赤色、緑色及び青色の各着色部に、黄色の着色部を加えて４色構成としたカラーフィルタを備えたものにも本発明は適用可能である。
【００８７】
（２１）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。
【００８８】
（２２）上記した各実施形態では、表示画面が横長なタイプの液晶表示装置を例示したが、表示画面が縦長なタイプの液晶表示装置についても本発明に含まれる。また、表示画面が正方形とされる液晶表示装置も本発明に含まれる。
【００８９】
（２３）上記した各実施形態では、液晶パネルのスイッチング素子としてＴＦＴを用いたが、ＴＦＴ以外のスイッチング素子（例えば薄膜ダイオード（ＴＦＤ））を用いた液晶パネルを備えた液晶表示装置にも適用可能であり、カラー表示する液晶パネルを備えた液晶表示装置以外にも、白黒表示する液晶パネルを備えた液晶表示装置にも適用可能である。
【００９０】
（２４）上記した各実施形態では、表示パネルとして液晶パネルを用いた液晶表示装置を例示したが、他の種類の表示パネル（ＰＤＰ（プラズマディスプレイパネル）、有機ＥＬパネル、ＥＰＤ（電気泳動ディスプレイパネル）など）を用いた表示装置にも本発明は適用可能である。その場合、バックライト装置を省略することも可能である。
【符号の説明】
【００９１】
１０...液晶表示装置（表示装置）、１１...液晶パネル（表示パネル）、１２...タッチパネル（位置入力装置）、２５，１２５，２２５...配線、２５Ｇ，１２５Ｇ，２２５Ｇ...配線群、２６，１２６，２２６...駆動電極部、２７，１２７，２２７...検出電極部、３０，１３０，２３０...ダミー電極部、３１，１３１，１３２...スリット、３１ａ，１３１ａ...屈曲部、ＬＣ１，ＬＣ２...間隔、ＬＷ１〜ＬＷ４...線幅、ＳＣ１〜ＳＣ３...間隔、ＳＷ１，ＳＷ２...幅
【図１】
2015107969.tif 000003
【図２】
2015107969.tif 000004
【図３】
2015107969.tif 000005
【図４】
2015107969.tif 000006
【図５】
2015107969.tif 000007
【図６】
2015107969.tif 000008
【図７】
2015107969.tif 000009
【図８】
2015107969.tif 000010
【図９】
2015107969.tif 000011
【図１０】
2015107969.tif 000012
【図１１】
2015107969.tif 000013
【図１２】
2015107969.tif 000014
【図１３】
2015107969.tif 000015
【図１４】
2015107969.tif 000016
【図１５】
2015107969.tif 000017
【図１６】
2015107969.tif 000018
【図１７】
2015107969.tif 000019
【図１８】
2015107969.tif 000020
【図１９】
2015107969.tif 000021
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
透光性導電膜からなり、それぞれ間隔を空けて並ぶ複数の配線からなる配線群と、
透光性導電膜からなり、前記配線群に隣り合う形で配される電極部であって、前記配線に倣って延在するスリットが形成されてなる電極部と、を備える位置入力装置。
【請求項２】
前記電極部には、前記スリットが間隔を空けて複数並ぶとともに相互に独立した形で形成されている請求項１記載の位置入力装置。
【請求項３】
前記電極部は、前記スリットの幅が、前記配線群に含まれて互いに隣り合う前記配線の間の間隔と一致するよう形成されている請求項１または請求項２記載の位置入力装置。
【請求項４】
前記電極部は、前記スリットが間隔を空けて複数並ぶとともに隣り合う前記スリットの間の間隔が、前記配線群に含まれる前記配線の線幅と一致するよう形成されている請求項１から請求項３のいずれか１項に記載の位置入力装置。
【請求項５】
前記配線群は、前記配線に線幅が異なるものが含まれる構成とされており、
前記電極部は、隣り合う前記スリットの間の間隔が、前記配線の線幅のうち最も広い線幅と一致するよう形成されている請求項４記載の位置入力装置。
【請求項６】
前記配線群は、前記配線に線幅が異なるものが含まれる構成とされており、
前記電極部は、隣り合う前記スリットの間の間隔が、前記配線の線幅のうち最も狭い線幅と最も広い線幅との間となる値となるよう形成されている請求項４記載の位置入力装置。
【請求項７】
前記配線群は、複数の前記配線がそれぞれジグザグ状に折れ曲がりつつ延在する平面形状とされており、
前記電極部は、前記スリットが途中に屈曲部を有する平面形状となるよう形成されている請求項１から請求項６のいずれか１項に記載の位置入力装置。
【請求項８】
前記電極部は、前記配線群に含まれるいずれかの前記配線に接続されることで電界を発することが可能な駆動電極部と、前記駆動電極部に対して隣り合う形で配されるとともに前記駆動電極部から発せられた電界を検出する検出電極部と、からなるものとされており、
前記駆動電極部及び前記検出電極部は、それぞれ前記スリットが形成されてなる請求項１から請求項７のいずれか１項に記載の位置入力装置。
【請求項９】
前記駆動電極部及び前記検出電極部は、前記配線に沿って複数ずつ並んで配されており、
透光性導電膜からなり、前記配線群と前記駆動電極部または前記検出電極部との間に介在する形で配されるとともに、前記スリットが形成されてなるダミー電極部を備える請求項８記載の位置入力装置。
【請求項１０】
前記駆動電極部は、前記配線群に対して前記配線の並び方向について隣り合う形で配されるのに対し、前記検出電極部は、前記駆動電極部に対して前記並び方向について前記配線群側とは反対側に隣り合う形で配されており、
前記駆動電極部及び前記検出電極部は、その外縁部の一部が前記配線の外縁部に並行するよう形成されるとともに、前記スリットが前記配線の外縁部に並行するよう形成されている請求項８または請求項９記載の位置入力装置。
【請求項１１】
前記駆動電極部及び前記検出電極部は、それぞれ菱形の平面形状を有するとともに互いの外縁部が並行するよう隣り合って配されているのに対し、前記配線群は、前記駆動電極部と前記検出電極部との間に介在する形で配されるとともに、前記配線が前記駆動電極部及び前記検出電極部の外縁部に並行するようジグザグ状に折れ曲がりつつ延在する平面形状とされており、
前記駆動電極部及び前記検出電極部は、それぞれ前記スリットが途中に屈曲部を有する平面形状となるよう形成されている請求項８または請求項９記載の位置入力装置。
【請求項１２】
請求項１から請求項１１のいずれか１項に記載の位置入力装置と、
前記位置入力装置に対して内側にて対向状に配される表示パネルと、を備える表示装置。
【請求項１３】
基板を有する表示パネルを備え、
請求項１から請求項１１のいずれか１項に記載の位置入力装置を、前記基板の外側面に形成したことを特徴とする表示装置。
【国際調査報告】
2015107969.tif 000022
2015107969.tif 000023